(57)【要約】      （修正有）【課題】コケの栽培方法において年間を通じて栽培を行うことができるようにする。【解決手段】  コケの茎葉体を１〜１０ｍｍの長さに切断する。この切断により茎葉体の先端にある無性芽５を採取する。次に切断して得た茎葉体片４Ａと無性芽５とを混合したものを苗床６に播付ける。この苗床６には、腐植質を含む黒色または黒褐色の肥沃な土を含むようにしている。また苗床６は農用ハウスに設置されており、農用ハウスにおいては、温度、湿度、水分、光などの環境条件を備えることができるようになっている。そして、蒔いた苗床６上に黒土を含む目土を軽くかけて覆うようにする。この後、静かに目土の上に散水を行い栽培するものである。【選択図】図５
2006122006.tif 000002
【特許請求の範囲】
【請求項１】
無性芽により個体数を繁殖させるコケの栽培方法において、コケの茎葉体を切断して生長に伴い発生した無性芽を採取し、該無性芽を苗床に播付けて栽培することを特徴とするコケの栽培方法。
【請求項２】
コケの茎葉体を切断した茎葉体片と前記無性芽を混合して前記苗床に播付けることを特徴とする請求項１記載のコケの栽培方法。
【請求項３】
前記苗床を農用ハウスに収容することを特徴とする請求項１又は２に記載のコケの栽培方法。
【請求項４】
前記茎葉体片の長さは１〜１０ｍｍの長さであることを特徴とする請求項２又は３記載のコケの栽培方法。
【請求項５】
前記苗床は黒土を含むことを特徴とする請求項１〜４のいずれか１項に記載のコケの栽培方法。
【請求項６】
前記コケは、ヤマトフデゴケを含むフデゴケであることを特徴とする請求項１〜５のいずれか１項に記載のコケの栽培方法。
【発明の詳細な説明】
【技術分野】
【０００１】
本発明は、ヤマトフデゴケを含むフデゴケ等の無性芽により個体数を繁殖させるコケの栽培方法に関するものである。
【背景技術】
【０００２】
コケ（苔）はからだ全体で水分を吸収し、光合成で生育する植物なため、水を地面にまいても、ここから水分を吸収するのではなく、空中湿度、すなわち空中に漂う水分がコケを育てるというものである。そしてコケは土がなければ生育できない多くの植物と違い、発達した根を持たない植物であり、コケの根は水分や養分を吸収できるような根ではなく、仮根と呼ばれ、土や樹皮などにからだを固定するものである。
【０００３】
ところで、近年コケを利用して例えば屋上等の緑化を図ることが行なわれている。例えばカモジゴケ、フデゴケ、スナゴケ、ハイゴケの少なくとも１種からなる蘚類群落を、所定の大きさの繊維シート上で培養してコケ群落シートを形成し、前記コケ群落シートを岩盤表面上に張り付け、周辺の自然植生の中にあっても岩盤上の植生が違和感を与えることがない。また強健で乾燥に耐える能力が高い特性を備えているので、植物生育のための特別な基盤を必要とせず自然条件下で生育して群落を広げるることができるコケ類による岩盤緑化方法が知られている。そして、コケをカモジゴケ、フデゴケ、スナゴケ、ハイゴケの少なくとも１種とすることにより、このような蘚類は、群落の面積が増加するほど生育強度が増し、且つ群落形成による自己保全能力、すなわち群落に他の植物の種子が飛来して混入してもその発芽を抑制する特性があるので、他の植物種が混在しにくくなる。（特許文献１）
また、コケを用いて所定の部位を緑化する緑化方法であって、底部に多数の凹部を設けた浅箱状の収納体内に、通水性を有する敷板を前記多数の凹部に対して架設状態となるように配設し、この敷板上に土壌を収納してこの土壌にコケを全面的に生育し得るようにし、前記多数の凹部に水を貯め、この多数の凹部内の水により、前記コケを灌水装置を用いることなく生育し、このコケを生育した収納体を前記所定の部位に並設載置することでこの所定の部位を緑化するコケを用いる緑化方法が同一出願人により提案されている（特許文献２）。
【特許文献１】特開平６−１７３２６７号公報
【特許文献２】特開２００４−２４８６３１号公報
【発明の開示】
【発明が解決しようとする課題】
【０００４】
自然界ではコケは１年に１回発芽するものであり、比較的短時間に多量の栽培を行なうことができないので、人工栽培が試みられている。ところで、コケは個体数を増やす方法は二つに大別される。一つは卵細胞と精子細胞が合体する受精現象による有性生殖である。もう一つの方法は無性芽繁殖といわれるもので、これは無性芽（或いは葉の先に芽状にあらわれるので単に「芽」等とも称することもある）と呼ばれるものによって個体数を増やしていくもので、これはコケの生殖器官とは無関係で栄養体の一部が独立して別の新しいコケの体になるものであり、この方法は一般に無性芽繁殖といわれている。そして、コケは種子ではなく他の植物の種子に該当するのは胞子であり、この胞子は肉眼では確認するのが難しいくらい微小なので、胞子を使っての増殖は困難である。
【０００５】
そこでコケを増やす方法としては、従来、図９（Ａ）に示すようにコケ１を土２に差し込んで栽培するさし芽の方法、図９（Ｂ）に示すようにコケ３を土４の上に蒔いて栽培するまきコケの方法、さらには図９（Ｃ）に示すようにコケ５を株分けする株分けの方法が知られている。
【０００６】
しかしながら、このようなコケの自然栽培方法では年間に１回程度しか発芽せず、この結果栽培を年間を通じて行なうことができないという問題があった。
【０００７】
解決しようとする問題点は、コケの栽培方法において年間１回の発芽ではなく、複数回の発芽をできるようにしたコケの栽培方法を提供する点である。
【課題を解決するための手段】
【０００８】
請求項１の発明は、無性芽により個体数を繁殖させるコケの栽培方法において、コケの茎葉体を切断して生長に伴い発生した無性芽を採取し、該無性芽を苗床に播付けて栽培することを特徴とするコケの栽培方法である。
【０００９】
請求項２の発明は、コケの茎葉体を切断した茎葉体片と前記無性芽を混合して前記苗床に播付けることを特徴とする請求項１記載のコケの栽培方法である。
【００１０】
請求項３の発明は、前記苗床を農用ハウスに収容することを特徴とする請求項１又は２に記載のコケの栽培方法である。
【００１１】
請求項４の発明は、前記茎葉体片の長さは１〜１０ｍｍの長さであることを特徴とする請求項２又は３記載のコケの栽培方法である。
【００１２】
請求項５の発明は、前記苗床は黒土を含むことを特徴とする請求項１〜４のいずれか１項に記載のコケの栽培方法である。
【００１３】
請求項６の発明は、前記コケは、ヤマトフデコケを含むフデゴケであることを特徴とする請求項１〜５のいずれか１項に記載のコケの栽培方法である。
【発明の効果】
【００１４】
請求項１の発明によれば、採取した無性芽より生長してコケの栽培を行なうことができる。
【００１５】
請求項２の発明によれば、無性芽のみならず茎葉体を切断して生長に伴い発生した無性芽より生長してコケの栽培を行なうことができる。
【００１６】
請求項３の発明によれば、生長環境条件を自然環境にとらわれることなく、コケの栽培を行なうことができる。
【００１７】
請求項４の発明によれば、茎葉体を１〜１０ｍｍの長さに切断することにより良好に栽培を行なうことができる。
【００１８】
請求項５の発明によれば、菌の原糸体が良好に成長することができる。
【００１９】
請求項６の発明によれば、美観に優れるコケの栽培を行なうことができる。
【発明を実施するための最良の形態】
【００２０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２１】
図１〜図６は実施例１を示しており、最初にコケ（苔）種苗の採取について説明する。実施例においてのコケはフデゴケ（フデ苔）を示している。フデゴケ１は、蘚類マゴケ亜綱シッポゴケ目シッポゴケ科ツリバリゴケ属に属し、図１に示すように乾燥した岩等の上に茎１Ａに葉１Ｂ（以下茎１Ａと葉１Ｂとの一体物を茎葉体４という）を有する仮根３を介して群落を作って、全国各地の山地に自生し、岩山や川原の明るい岩の上によく生育するものであって、その茎葉体４は直立し長さは６〜７ｃｍ程度である。そして名称のとおり、茎１Ａの上部に集中的に葉１Ｂが付き、筆のような形をしており、やや黒味を帯びた緑色で、葉１Ｂに光沢があり、美観に優れるものである。このフデゴケ１の仲間のなかで、フデゴケ１に含まれるヤマトフデゴケ（ヤマトフデ苔）は柔軟な感じで明るい絨毯のような美観を有する。そしてこのフデゴケは園芸的には夏の焼けつく太陽下にも育つほど乾燥、日照りに強い性質を有する。
【００２２】
このようなフデコケ１のうち病害のない光沢のあるものを選び、そして移植ごてのような採取具により表より薄く剥ぎ取る。
【００２３】
次に図２に示すように採取したフデゴケ１をバケツ２などに入れて水洗する。この水洗は仮根３に付着している土を取り水の濁りがなくなるまで行なう。そして、水洗いしたフデゴケ１を取り出し水切り行った後に、フデゴケ１を１本１本のばらばらにほぐす。
【００２４】
次に図３に示すように茎葉体４を１〜１０ｍｍの長さＬ、好ましくは２〜５ｍｍの長さに切断する。この切断により茎葉体４の先端にある無性芽５（或いは単に芽という）を採取する。さらに、茎葉体４を切断して得た茎葉体片４Ａを採取する。この無性芽５と茎葉体片４Ａの採取は例えばバリカンを使用して行なう。
【００２５】
次に図４，５に示すように、切断して得た茎葉体片４Ａと無性芽５とを混合したものを苗床６に播付ける。この苗床６には黒土、すなわち腐植質を含む黒色または黒褐色の肥沃な土を含むようにしている。また苗床６は外部と遮断し、例えば１０〜２０℃、好ましくは１５℃程度の環境とした温度管理、湿度管理さらには水分管理ができる環境下、例えば農用ハウス７内に設置されており、農用ハウス７においては温度、湿度、水分、さらには夜間等明るくなるように電灯などの光などの環境条件を備えることができるようになっている。そして、蒔いた苗床６上に黒土を含む目土８を軽くかけて覆うようにする。この後、静かに目土の上に散水を行うものである。尚、農用ハウス７は透光性の合成樹脂シート或いは合成樹脂フィルム或いは透光性のガラスなどに囲まれたものであって、農用ハウス７内には霧状水の散布装置９や換気装置などを設けている。
【００２６】
このような栽培においては、図６に示すように切断されて残った茎葉体片４Ａから茎葉体４、仮根３が生長して新しい芽が生長し、この生長によって無性芽が成長する。一方、切断された無性芽５が生長して茎葉体４、仮根３が生長して繁殖し、フデゴケ１を栽培することができる。この栽培にあっては、農用ハウス７に設置された苗床６に切断して採取した無性芽５と茎葉体片４Ａを蒔くものであるので、苗床６の温度や湿度の環境を比較的自由に設定できるので、発芽環境を整えて年複数回の栽培を行なうことができ、さらに苗床６に無性芽５のみを蒔いた場合に比較して実施例では無性芽５のみならず茎葉体片４Ａをも蒔くことにより多くのフデコケ１を栽培することができる。しかも、無性芽５のみならず茎葉体片４Ａをも蒔いてより多くのフデゴケ１を栽培するようにしたことで、群落を作りやすくなり、フデゴケ１の栽培を助長することができる。
【００２７】
以上のように、前記実施例では自然状態では１年に１回しか発芽しない無性芽５を切断して蒔いて農用ハウス７などで生長させることにより、年間数倍の生長を促進できる。
【００２８】
また、無性芽５と前記切断された茎葉体４Ａを混合して苗床６に播付けることにより、無性芽５のみの苗床６における単位面積当りの栽培数を増加でき、良好に栽培することができる。この結果群落形成による自己保全能力を高めることができる。
【００２９】
さらに、苗床６を霧状水の散布装置９を備えた農用ハウス７に収容して栽培することで、自然環境に左右されずに栽培を通年で行なうことができる。
【００３０】
しかも、茎葉体４を１〜１０ｍｍの長さＬに切断して茎葉体片４Ａを作ることにより、きめこまかに早く生育する。尚、長さＬが１より短いと生長しにくく、逆に１０ｍｍより大きいと生長の速度が遅いことが懸念される。
【００３１】
また苗床６には黒土を含むようにすることで、発芽が著しく早くなる。
【実施例２】
【００３２】
図７及び図８に示すように、浅箱状に形成した収納体11の底部に凹部12を多数形成し、この多数の凹部12に対して架設状態となるように通水性を有する敷板13を配設し、この敷板13上に、コケ14を生育させるための土壌15を収納し得るようにしたコケの緑化装置を用いて栽培を行なってもよい。尚、多数の凹部12間にはオーバーフロー孔16を設けて余分な水分が供給されないようになっている。
【産業上の利用可能性】
【００３３】
以上のように本発明は種々の用途に適用できる。例えば、コケはフデゴケ１に限定されるものではなく、シッポコケやカモジコケ（いずれも蘚類マゴケ亜綱シッポコケ目シッポコケ科シッポコケ属）等無性芽により個体数を繁殖させるコケであればよい。また栽培したコケを設置する場所としては、庭や屋上の緑化など種々の箇所が可能である。
【図面の簡単な説明】
【００３４】
【図１】本発明の実施例１を示す第１工程の概略正面図である。
【図２】本発明の実施例１を示す第２工程の概略正面図である。
【図３】本発明の実施例１を示す第３工程の概略正面図である。
【図４】本発明の実施例１を示す第４工程の概略正面である。
【図５】本発明の実施例１を示す第４工程の概略平面図である。
【図６】本発明の実施例１を示す第５工程の概略正面図である。
【図７】本発明の実施例２を示す平面図である。
【図８】本発明の実施例２を示す断面図である。
【図９】従来技術を示す説明図である。
【符号の説明】
【００３５】
１  フデゴケ（苔）
４  茎葉体
５  無性芽
６  苗床
７  農用ハウス
【図１】
2006122006.tif 000003
【図２】
2006122006.tif 000004
【図３】
2006122006.tif 000005
【図４】
2006122006.tif 000006
【図５】
2006122006.tif 000007
【図６】
2006122006.tif 000008
【図７】
2006122006.tif 000009
【図８】
2006122006.tif 000010
【図９】
2006122006.tif 000011